(57)【特許請求の範囲】
【請求項１】
ショッピングカートであってその後方から他のショッピングカートの一部をその前部から受け入れ可能であるショッピングカートであって、
台車枠及び該台車枠に結合された手押し用のハンドルを備える台車と、
前記ハンドルの下方に配置されかつ前記台車に揺動可能に支持されたかご受けであってかごをその底部において支持可能であるかご受けとを含み、
前記台車枠は、前後方向へ水平に伸びると共に全体に後方へ向けて末広がりに伸びるコ字状の前端部、及び該前端部の後部から上方へ向けて傾斜された２つの後端部を有する第１のフレーム部材と、該第１のフレーム部材の両後端部に連なりかつ全体に上方へ伸びる一対の傾斜部、該傾斜部の上端に連なる一対の垂直部、及び該垂直部の上端から後方へ向けて斜め上方へ伸びるコ字形の端部を有する第２のフレーム部材とを備え、
前記かご受けは、前記他のショッピングカートの受け入れ時における該他のショッピングカートからの押圧力を受けて、前記他のショッピングカートからの押圧力の作用を受ける箇所が上方に変位するように、揺動可能に前記第２のフレーム部材に支持されている、ショッピングカート。
【請求項２】
前記かご受けは、前記他のショッピングカートからの押圧力の作用を受ける箇所に設けられたローラを有する、請求項１に記載のショッピングカート。
【請求項３】
さらに、前記ハンドルに支持された他のかご受けを含む、請求項１及び２のいずれかに記載のショッピングカート。
【発明の詳細な説明】
【０００１】
【発明の属する技術分野】
本発明は、スーパーマーケットのような店舗において購買客の利用に供されるショッピングカートに関する。
【０００２】
【従来の技術】
ショッピングカートは、その多数台の整理や保管の容易性、その整理や保管のためのスペースの節約等の理由から、ネスティングすることを可能とされている。すなわち、１のショッピングカートにその後方から他のショッピングカートの一部をその前部から受け入れ可能なものとされている。
【０００３】
ショッピングカートは手押し用のハンドルを備える台車と、ハンドルの下方に配置されかつ台車に支持された、商品を一時的に収容する買い物かご（以下、単に「かご」という。）を支持するためのかご受けとを備える。
【０００４】
従来のショッピングカートにあっては、かご受けは、ネスティングの際における他のショッピングカートの受け入れを阻害しないように互いに間隔をおいて配置され台車の後方へ伸びる複数対のアームにより構成されている（実用新案登録第３０６８８２２号公報）。
【０００５】
かごは、通常、矩形の開口上端を有し、その互いに相対する一対の開口縁部をかご受けの一対のアームに載せかつこれらに引掛けることにより、かご受けにかごを支持することができる。
【０００６】
ところが、アームへのかごの引掛け方の良し悪し、かごへの外力の作用等により、あるいは、通常合成樹脂からなるかごに収容された商品の偏在、重量等によるかごの変形のため、かごの開口縁部がアームから容易に外れ、かごがショッピングカートから脱落するという問題があった。また、大きさの異なるかごについては、前記従来のかご受けを適用することができないという問題があった。
【０００７】
【発明が解決しようとする課題】
したがって、本発明の目的は、ショッピングカートの手押し用ハンドルの下方に配置されるかご受けであって、かごを安定的に支持しかつショッピングカートのネスティングを阻害しないかご受けを備えるショッピングカートを提供することにある。また、本発明の他の目的は、大きさの異なるかごについても同様に適用可能であるかご受けを備えるショッピングカートを提供することにある。
【０００８】
【課題を解決するための手段】
本発明に係るショッピングカートは、その後方から他のショッピングカートの一部をその前部から受け入れ可能なものであり、台車枠及び該台車枠に結合された手押し用のハンドルを備える台車と、前記ハンドルの下方に配置されかつ前記台車に揺動可能に支持されたかご受けであってかごをその底部において支持可能であるかご受けとを含む。前記台車枠は、前後方向へ水平に伸びると共に全体に後方へ向けて末広がりに伸びるコ字状の前端部、及び該前端部の後部から上方へ向けて傾斜された２つの後端部を有する第１のフレーム部材と、該第１のフレーム部材の両後端部に連なりかつ全体に上方へ伸びる一対の傾斜部、該傾斜部の上端に連なる一対の垂直部、及び該垂直部の上端から後方へ向けて斜め上方へ伸びるコ字形の端部を有する第２のフレーム部材とを備える。前記かご受けは、前記他のショッピングカートの受け入れ時における該他のショッピングカートからの押圧力を受けて、前記他のショッピングカートからの押圧力の作用を受ける箇所が上方に変位するように、揺動可能に前記第２のフレーム部材に支持されている。
【０００９】
前記かご受けは、前記他のショッピングカートからの押圧力の作用を受ける箇所に設けられたローラを有するものとすることができる。また、前記ショッピングカートはそのハンドルに支持されたさらに他のかご受けを備えるものとすることができる。
【００１０】
【発明の作用および効果】
本発明によれば、ショッピングカートの手押し用ハンドルの下方に配置されかつ台車に支持されたかご受けは、かごをその底部において支持可能であることから、かごの大きさの違いに拘わらず、かごを容易に落下しないように安定的にかつ安全に支持することができる。また、前記かご受けは揺動可能であり、前記他のショッピングカートの受け入れ時における該他のショッピングカートからの押圧力を受けて揺動することから、ショッピングカートのネスティングに際しこれを阻害しない。
【００１１】
前記かご受けに、前記他のショッピングカートからの押圧力の作用を受ける箇所にローラを配置するときは、前記かご受けが前記他のショッピングカートの押圧力を受けるときに前記ローラが回転し前記かご受けと前記他のショッピングカートとの間に生じる摩擦力を軽減すると共に前記かご受けの揺動運動をより円滑なものとすることができる。
【００１２】
前記ハンドルにはこれに支持された他のかご受けを取り付けることができ、これにより、ショッピングカートにおけるかごの積載容量を増大することができる。
【００１３】
【発明の実施の形態】
図１〜図４を参照すると、本発明が適用された後記かご受け２０を有するショッピングカート１０の一例が示されている。
【００１４】
ショッピングカート１０は先細の前部１２と末広がりの後部１４とを有する。
【００１５】
ショッピングカート１０は、その後方から、これと全く同一の他のショッピングカート１６（図５参照）の一部を該他のショッピングカートの前部１２から受け入れることができる。
【００１６】
すなわち、この受け入れ状態は、他のショッピングカート１６の前部１２をその前方にあるショッピングカート１０の後部１４内に押し入れることにより生じ、この受け入れすなわちネスティングにより多数のショッピングカートを効率よく整理および保管することができる。
【００１７】
ショッピングカート１０は、台車１８と、該台車に支持されたかご受け２０とを備える。図示の例では、さらに、他のかご受け２２が設けられている。
【００１８】
かご受け２０，２２には、それぞれ、商品を一時的に収容するためのかご２３（図３）が載せられる。かご２３は、スーパーマーケットのような店舗において一般的に使用されるものであって、矩形状の開放上端を有する。
【００１９】
図２に示すように、台車１８は台車枠２４と、ショッピングカート１０のための手押し用のハンドル２６とを備える。図示の例では、ショッピングカート１０の台車枠２４に幼児のための後記シート３６が配置され、台車１８の周囲が自動車のボディの前部に似せたカバー２８で覆われている。
【００２０】
前記ショッピングカートは、前記ネスティングが可能である限り、前記幼児用シートの代わりに、例えば商品を載せるための受け部、受け板等が配置された台車枠を備えるものであってもよい。
【００２１】
複数のキャスタ３０で支持された台車枠２４は例えば鋼製のパイプや棒を折り曲げて形成された２つのフレーム部材３２，３４からなる。
【００２２】
一方のフレーム部材３２および他方のフレーム部材３４は、それぞれ、ショッピングカートの前部１２および後部１４を規定する。
【００２３】
前後方向へ水平に伸びる一方のフレーム部材３２は全体に後方へ向けて末広がりに伸び、その２つの後端部が上方へ向けて傾斜している。また、他方のフレーム部材３４は一方のフレーム部材３２の両後端部に連なりかつ全体に上方へ伸びる２つの脚部すなわち一対のキャスター３０に支持された一対の傾斜部３４ａおよびこれらの上端に連なる一対の垂直部３４ｂと、該垂直部の上端から後方へ向けて斜め上方へ伸びるコ字形の端部を有する。前記コ字形の端部がハンドル２６を規定する。
【００２４】
台車１８には幼児用のシート３６が配置されている。シート３６は、座３８およびこれに鈍角をなして連なる背もたれ４０を有する。シート３６は、例えばプラスチックの成形体からなる。
【００２５】
シート３６は、その背もたれ４０の頂部４２において、台車１８に揺動可能に支持されている。より詳細には、ハンドル２６にその前部において支持されている。
【００２６】
シート３６の支持のため、ハンドル２６の前部にその横断方向または幅方向（ショッピングカート１０の幅方向）へ伸びるバー４４が固定されている。また、シートの背もたれ４０の背面にはその幅方向へ伸びる、ハット形の横断面形状を有する細長い取付金具４６が固定され、該取付金具をバー４４が貫通している。
【００２７】
これにより、シート３６はショッピングカート１０においてその前方に向けられかつフレーム部材３２の後部およびフレーム部材の前部がそれぞれ規定する空間をバー４４の周りに揺動可能とされている。
【００２８】
シート３６は、さらに、その座３８の下面においても、クランク形のバー４８を介して、フレーム部材３２上に支持されている。クランク形のバー４８はフレーム部材３２の上方へ突出した状態で配置されかつその両端においてフレーム部材３２に固定され、フレーム部材３２を横断する方向へ伸びている。
【００２９】
他方、シート３６にはその座３８の下面に開放しかつその幅方向へ伸びる凹溝５０が設けられている。クランク形のバー４８は、その一部において、凹溝５０内をこれに沿って伸びている。これにより、シート３６が前方側にのみ揺動し後方側へは揺動しないように、また、その座３８が水平となるように維持される。
【００３０】
これによれば、ネスティングのためにハンドルを押して他のショッピングカート１６をその前方にあるショッピングカート１０の後部空間に押し入れるとき、ショッピングカート１０の実質的な前部１２を規定するカバー２８の前端上部がシート３６の背もたれ４０の背面に突き当たり、これに押圧力を及ぼす。押圧力を受けたシート３６はバー４４の周りに前方側へ揺動し、その座３８が、クランク形バー４８の上方位置から前方のさらに上方の位置へ移動する（図５参照）。
【００３１】
これにより、他のショッピングカート１６の前部を含む一部がショッピングカート１０内をさらに前方へ進み、ショッピングカート１０内に受け入れられ、ネスティングが完了する。その結果、両ショッピングカート１０，１６が部分的に重なり合う。
【００３２】
前記幼児用シートは、これを背もたれの頂部で揺動可能に支持された図示の例に代えて、例えばその座３８の底部前端において、ショッピングカートの幅方向または横断方向へ延びる軸線の周りに揺動可能に支持されたものであってもよい。これによれば、ネスティング時、前記シートが他のショッピングカート１６の押圧力を受けて前方側へ回転し、前倒しの状態とされる。他のショッピングカート１６の前部は、前記シートの前倒しによって生じた空間まで進むことができる。
【００３３】
かご２３を載せるためのかご受け２０は、ハンドル２６の下方に配置されかつ台車枠２４（より詳細には、他方のフレーム部材３４）に揺動可能に支持されている。
【００３４】
図２に示すように、かご受け２０は、全体にコ字形を呈するアーム５４と、アーム５４に固定された支持部材５６とを備える。
【００３５】
コ字形アーム５４はフレーム部材３４における両垂直部３４ｂの後方に配置されかつその両端部において両垂直部３４ｂに枢着されている。
【００３６】
フレーム部材３４に対するコ字形アーム５４の枢着のため、フレーム部材３４の各垂直部３４ｂに板状のブラケット５８が取り付けられており、また、ブラケット５８を貫通しかつフレーム３４の幅方向へ伸びるボルト６０が準備される。他方、コ字形アーム５４の各端部には、ボルト穴６２が設けられたプレート６４が取り付けられている。
【００３７】
コ字形アーム５４の両端部は、互いに相対する両垂直部３４ｂの外側に、アーム５４の両プレート６４がそれぞれフレームの両ブラケット５８するように配置され、ブラケット５８とプレートのボルト穴６２とを貫通するボルト６０にナット６６が螺合されている。
【００３８】
これにより、フレーム部材３４の垂直部の後方に位置するコ字形アーム５４は、ほぼ水平方向へ伸びる両ボルト６０の周りに揺動可能である。
【００３９】
コ字形アーム５４は、その両端部がフレーム部材の両垂直部３４ｂの外側に配置されているため、フレーム部材の傾斜部３４ａ、図示の例では、傾斜部３４ａの外側に位置するカバー２８の一部に当たり、それ以上の揺動を阻止されている。この状態において、アーム５４はわずかに下方へ向けて傾斜している。
【００４０】
アーム５４のこの下方傾斜の状態において、支持部材５６はほぼ水平状態にあり、これに載置されるかご２３を支持する。
【００４１】
図示の支持部材５６は鋼製の線材を全体にハット形に折り曲げてなり、コ字形アームの後端部５４ａ上にこれを横切って伸びるように載置された本体５６ａと、アームの両側部５４ｂに固定され該両側部をこれらの下方において横切る両端部５６ｂとを有する。
【００４２】
支持部材５６はこれにかご２３を安定に載置し得る大きさを有する。支持部材５６上に載置されたかご２３は、アームの両側部５４ｂと、シート３６と、支持部材の本体５６ａにこれを折り曲げることにより形成された立ち上がり部５６ｃとにより水平方向への移動を規制される。
【００４３】
コ字形アーム５４および支持部材５６からなるかご受け２０は、ネスティングのためにショッピングカート１０内に押し込まれる他のショッピングカート１６の前部からの衝突力を受けて支持部材５６がその位置を前方上方に変えるように揺動する。このとき、他のショッピングカート１６はその前部を含む一部が、支持部材５６とアームの両側部５４ｂとが規定する空間を経て、ショッピングカート１０内を前方へ向けて移動することができる（図５参照）。
【００４４】
他のショッピングカート１６の押圧力を受けたかご受け２０がより円滑に揺動し得るように、好ましくは、他のショッピングカート１６の前部が当たることとなるかご受け２０の支持部材の立ち上がり部５６ｃにローラ６８を配置する。
【００４５】
ローラ６８は、その両端において、立ち上がり部５６ｃの下部に取り付けられた一対のブラケット７０に回転可能に支承されている。ローラ６８はこれに他のショッピングカート１６の前部が当たるとき、かご受け２０の揺動軸すなわち両ボルト６０に平行な軸線の周りに回転し、他のショッピングカート１６の前部が立ち上がり部５６ｃに直接に当たる場合における両者間の摩擦を軽減すると共に立ち上がり部５６ｃ下への他のショッピングカート１６の前部の潜り込みを容易にする。
【００４６】
他のかご受け２２は、ハンドル２６に支持されている。かご受け２２は、鋼製の線材を折り曲げてなり、かご２３を載置可能であるように全体にハット形に折り曲げられた本体２２ａと、該本体の両端から上方へ伸びる両端部２２ｂとを有する。かご受けの本体２２ａはハンドル２６が取り囲む空間の下方に配置され、また、その両端部２２ｂがそれぞれハンドル２６の両側部に固定されている。
【００４７】
ただし、このかご受け２２は、下方のかご受け２０の揺動運動の障害とならない高さ位置に配置される。
【００４８】
いうまでもなく、前記ショッピングカートのネスティングは、かご２３を排除した状態で行われる。
【図面の簡単な説明】
【図１】本発明に係るショッピングカートの一例を示す斜視図である。
【図２】ショッピングカートの分解斜視図である。
【図３】ショッピングカートの縦断面図である。
【図４】ショッピングカートの平面図である。
【図５】ネスティングされた２台のショッピングカートの縦断面図である。
【符号の説明】
１０，１６  ショッピングカート
１８  台車
２０，２２  かご受け
２４  台車枠
２６  ハンドル
【図１】
0004610094.tif 000002
【図２】
0004610094.tif 000003
【図３】
0004610094.tif 000004
【図４】
0004610094.tif 000005
【図５】
0004610094.tif 000006